(57)【特許請求の範囲】
【請求項１】
半導体メモリを内蔵した記憶媒体を保持する記憶媒体保持部が形成され、シャーシに対して上記記憶媒体の挿脱を行う第１の位置と上記記憶媒体が装着される第２の位置とに亘って移動可能に取り付けられるホルダと、
上記ホルダに設けられ、上記記憶媒体の端子部が上記ホルダが上記第１の位置にあるとき接続されるコネクタと、
上記シャーシに形成された係合部に係合される規制部を有し、上記ホルダに取り付けられて上記ホルダの上記第１の位置から上記第２の位置への移動を規制する規制部材とを備え、
上記規制部材は、上記記憶媒体が上記端子部が上記ホルダの上記コネクタに接続可能な正規な状態で上記第１の位置にある上記ホルダの上記記憶媒体保持部に挿入されたとき、上記規制部と上記シャーシの係合部との係合状態が解除されることで、上記ホルダを上記第２の位置に移動可能な状態にする記憶媒体のローディング装置。
【請求項２】
上記規制部材は、上記記憶媒体に形成された係合凹部に対して係脱可能な係合突部を有し、上記係合突部が上記記憶媒体の上記係合凹部に係合したときに、上記ホルダを上記第１の位置に規制している状態を解除する請求項１記載の記憶媒体のローディング装置。
【請求項３】
上記シャーシと上記ホルダとは、一端が上記シャーシに係止され、他端が上記ホルダに係止された付勢部材により接続され、上記ホルダは、上記付勢部材により上記第１の位置の方向又は上記第２の位置の方向に付勢されている請求項１記載の記憶媒体のローディング装置。
【請求項４】
上記シャーシに回動可能に取り付けられる回動アームと、
上記シャーシに移動可能に取り付けられ、上記回動アームの一端部を押圧する押圧部が形成されたイジェクト部材とを備え、
上記イジェクト部材が、上記記憶媒体が装着される方向に移動されたとき、上記回動アームは、上記押圧部が上記回動アームの一端部を押圧することで回動し、他端部側で、上記ホルダに形成された係合突起を押圧し、上記第２の位置にある上記ホルダを上記第１の位置に移動させる請求項１記載の記憶媒体のローディング装置。
【請求項５】
上記記憶媒体の挿脱を行うシャーシの前面を開閉する閉塞部と、上記閉塞部を上記シャーシに対して回動可能に支持する一対の回動支持部とからなる蓋体を備え、
一端が上記回動支持部の何れか一方に係止され他端が上記シャーシに係止された付勢部材により、上記蓋体は、上記シャーシの前面側を閉塞する方向に付勢され、上記回動支持部の何れか一方には、突部が形成され、上記イジェクト部材が、上記記憶媒体が装着される方向に移動されるとき、上記蓋体は、上記イジェクト部材に形成されたカム部により上記突部が押圧され、上記付勢部材の付勢力に抗して上記シャーシの前面を開放する方向に回動される請求項４記載の記憶媒体のローディング装置。
【請求項６】
上記規制部材は、上記ホルダに挿入される上記記憶媒体の挿入端に押圧される被押圧部を有し、上記記憶媒体が上記第１の位置にあるホルダに挿入されたとき、上記被押圧部が上記記憶媒体の上記ホルダへの挿入端に押圧されることで、上記ホルダを上記第１の位置に規制している状態を解除する請求項１記載の記憶媒体のローディング装置。
【請求項７】
上記ホルダには、上記記録媒体が正規な状態で挿入されたときに、上記記録媒体に形成された凹部に係合される誤挿入防止部材が設けられている請求項１記載の記憶媒体のローディング装置。
【発明の詳細な説明】
【０００１】
【発明の属する技術分野】
本発明は、カード型メモリ装置等の記憶媒体の挿脱を容易に行うことができるとともに、記憶媒体の誤挿入防止機能を備えた記憶媒体のローディング装置に関する。
【０００２】
【従来の技術】
半導体メモリを内蔵したカード型のメモリ装置（以下、ＩＣカードという。）のローディング装置は、ＩＣカードが保持されるカード保持部が形成されるホルダと、このカード保持部に保持されたＩＣカードを排出するためのイジェクト機構とを備える。また、ホルダには、ＩＣカードの挿入端側に設けられた端子に接続されるコネクタが設けられている。ＩＣカードがホルダの前面に設けられた挿脱口より接続端子側を挿入端としてホルダに挿入されると、ＩＣカードは、ほぼ全体がホルダに収納され、接続端子とコネクタとが係合され電気的接続が図られる。また、ホルダに収納されたＩＣカードを取り出すとき、ＩＣカードは、挿脱口近傍に設けられたイジェクトボタンが押されることで、この押圧力を受けてイジェクト機構により押し出されるようにして排出される。
【０００３】
【発明が解決しようとする課題】
ところで、ホルダに収納されたＩＣカードを取り出すときには、利用者はローディング装置に接続されたイジェクトボタンを、ＩＣカードの接続端子のコネクタとの係合状態を解除できる程度の大きさの押圧力で押圧する必要がある。このローディング装置は、ＩＣカードとほぼ同じ大きさに形成され、イジェクトボタンも小さく形成されていることから、イジェクトボタンが重くなると操作し辛くなってしまう。
【０００４】
そこで、本発明は、ＩＣカード等の記憶媒体の挿脱を容易に行うことができる記憶媒体のローディング装置を提供することを目的とする。
【０００５】
また、本発明は、記憶媒体の誤挿入を防止することができる記憶媒体のローディング装置を提供することを目的とする。
【０００６】
【課題を解決するための手段】
本発明に係る記憶媒体のローディング装置は、上述した課題を解決すべく、半導体メモリを内蔵した記憶媒体を保持する記憶媒体保持部が形成され、シャーシに対して記憶媒体の挿脱を行う第１の位置と記憶媒体が装着される第２の位置とに亘って移動可能に取り付けられるホルダと、ホルダに設けられ、記憶媒体の端子部がホルダが第１の位置にあるとき接続されるコネクタと、シャーシに形成された係合部に係合される規制部を有し、ホルダに取り付けられてホルダの第１の位置から第２の位置への移動を規制する規制部材とを備える。そして、規制部材は、記憶媒体が端子部がホルダのコネクタに接続可能な正規な状態で第１の位置にあるホルダの記憶媒体保持部に挿入されたとき、規制部とシャーシの係合部との係合状態が解除されることで、ホルダを第２の位置に移動可能な状態にする。
【０００７】
具体的に、この規制部材は、記憶媒体に形成された係合凹部に対して係脱可能な係合突部を有し、係合突部が記憶媒体の係合凹部に係合したときに、ホルダを第１の位置に規制している状態を解除する。
【０００８】
また、この規制部材は、ホルダに挿入される記憶媒体の挿入端に押圧される被押圧部を有し、記憶媒体が上記第１の位置にあるホルダに挿入されたとき、被押圧部が記憶媒体のホルダへの挿入端に押圧されることで、ホルダを第１の位置に規制している状態を解除する。
【０００９】
【発明の実施の形態】
以下、本発明が適用されたカード型のメモリ装置（以下、ＩＣカードという。）のローディング装置について図面を参照して説明する。
【００１０】
本発明が適用されたローディング装置に用いられるＩＣカード１は、図１に示すように、コンピュータ本体、ビデオカメラ装置、携帯型情報端末等の電子機器の外部記憶装置として用いられる。このＩＣカード１は、内部に、映像信号、楽音信号、コンピュータで処理される処理データ等の情報信号が記憶されるフラッシュメモリ等の半導体メモリが内蔵されたカード本体２を有する。
【００１１】
このカード本体２は、長尺の略矩形状をなすカード型に形成されている。そして、このカード本体２のローディング装置への挿入端となる前面側には、ローディング装置に装着されたとき、ローディング装置側のカード保持部に設けられたコネクタに接続される端子部３が形成されている。
【００１２】
この端子部３は、カード本体２の前面から一方の主面２ａに亘って形成された凹部４をローディング装置への挿入方向と平行に立設された複数の仕切壁５により区画して形成された複数の係合凹部６を有し、それぞれの係合凹部６の底面に、端子７が配設されてなる。各係合凹部６は、前面側及びカード本体２の一方の主面２ａ側が開放端とされ、この開放端側よりローディング装置のカード保持部のコネクタを構成する接続端子が進入する。また、カード本体２の前面側、すなわち各仕切壁５には、ローディング装置への挿入を円滑に行うことができるようにするため傾斜面部３ａが形成されている。このような端子部３は、各係合凹部６の底面に端子７が配設されていることで、手指が直接端子７に触れないように端子７の保護が図られている。
【００１３】
また、カード本体２の前面側の一方のコーナ部は、略弧状をなすように面取り部８が形成され、この面取り部８の一方の主面２ａ側に切欠部９が形成されている。また、カード本体２の他の３つのコーナ部は、面取りがなされることなく略９０°に形成されている。面取り部８及び切欠部９は、ＩＣカード１が正規な状態でローディング装置のカード保持部に保持されたとき、コネクタの背面側に設けられた誤挿入防止部材の逃げとなることで、ＩＣカード１のカード収納部への挿入を可能とする。また、ローディング装置にＩＣカード１が裏返しに挿入され、また、背面側から挿入されたとき、カード収納部の誤挿入防止片は、カード本体２の面取り部８及び切欠部９が形成されていない他のコーナ部が当接され、ＩＣカード１が挿入されることを禁止する。
【００１４】
カード本体２の一方の面２ａ側には、端子部３の近傍に、誤って情報信号を半導体メモリに記録することを防止する誤記録防止スイッチ１１が設けられている。誤記録防止スイッチ１１は、カード本体２内の操作子に連結され、一方にスライドされたとき、情報信号の記録を許可し、他方にスライドされたとき、新たな情報信号が上書きされないようにしている。また、カード本体２の長手方向となる一方の側面部には、切欠部９の近傍に、ローディング装置に挿入されたとき、ＩＣカード１の脱落を防止する脱落防止用凹部１２が形成されている。この脱落防止用凹部１２は、ローディング装置のカード収納部に設けられた脱落防止片が係合することで、ＩＣカード１がカード収納部より脱落することを防止している。また、カード本体２の他方の側面側の中程には、誤挿入検出用の係合凹部１３が形成されている。この係合凹部１３は、ローディング装置のカード保持部に設けられた係合突部が係合される。また、カード本体には、端子部３が設けられた前面側と対向する背面側に、ラベル貼付部１４が形成されている。このラベル貼付部１４には、例えば半導体メモリに記憶された情報信号に関連する情報が記載されたラベルが貼り付けられる。
【００１５】
以上のようなＩＣカード１は、ローディング装置に、主面２ａをローディング装置のシャーシ２１側にし、前面側を挿入端として、図１中Ａ方向に挿入される。
【００１６】
以上のようなＩＣカード１のローディング装置２０は、コンピュータ本体、ビデオカメラ装置、携帯型情報端末等の電子機器に設けられるものであり、図２及び図３に示すように、装置本体を構成する筐体に取り付けられるシャーシ２１と、このシャーシ２１にスライド可能に取り付けられるとともに、ＩＣカード１を保持するホルダ２２とを備える。
【００１７】
シャーシ２１は、図２及び図３に示すように、金属板を打ち抜き折曲して形成され、略矩形状の底板２６と、この底板２６の長手方向の両側に互いに略平行となるように立ち上がり形成された第１及び第２の側壁２７，２８とを備え、全体が断面略コ字状となるように形成されている。そして、ホルダ２２は、底板２６と第１及び第２の側壁２７，２８とに囲まれる領域に、ＩＣカード１の挿入方向と同じ図２及び図３中矢印Ｂ及び反矢印Ｂ方向に移動可能に配設される。
【００１８】
ホルダ２２が配設される底板２６は、長手方向の長さがＩＣカード１の長手方向の長さとほぼ同じ略矩形状に形成され、背面側にホルダ２２の移動をガイドするためのガイド孔２９，２９がホルダ２２の移動方向に沿って形成されている。これらガイド孔２９，２９は、ホルダ２２の底面に突出したガイド突起が係合され、ホルダ２２の移動領域を規制している。また、第１及び第２の側壁２７，２８にも、ホルダ２２の移動をガイドし、移動領域を規制するガイド孔３０，３０がホルダ２２の移動方向に沿って形成されている。
【００１９】
底板２６のＩＣカード１の挿入側となる前面側には、図２及び図３中矢印Ｂ方向にスライドしたホルダ２２を同図中反矢印Ｂ方向にスライドさせる回動アーム３１が取り付けられている。この回動アーム３１は、中程が、底板２６に設けられた支軸３２に軸支され、この支軸３２を中心に図２及び図３中矢印Ｃ及び反矢印Ｃ方向に回動可能に支持されている。この回動アーム３１は、第１及び第２の側壁２７，２８間の間隔とほぼ同じ長さを有し、第１の側壁２７側の一端部に、ホルダ２２を図２及び図３中反矢印Ｂ方向に押圧する押圧部３３が形成され、第２の側壁２８側の他端部に、イジェクト部材の押圧部により押圧される被押圧部３４が形成されてなる。回動アーム３１の一端部に形成された押圧部３３は、底板２６に形成された開口部３５より外方に臨まされている。また、他端部に形成された被押圧部３４は、イジェクト部材との接続を図るため、シャーシ２１の底板２６と第２の側壁２８とに亘って形成された開口部３６より外方に臨まされている。
【００２０】
回動アーム３１は、イジェクト部材の操作片により被押圧部３４が図２及び図３中矢印Ｃ方向に押圧されることで、支軸３２を中心に同図中矢印Ｃ方向に回動し、他端側の押圧部３３をシャーシ２１の前面側に移動させる。これにより、シャーシ２１の背面側に位置しているホルダ２２は、シャーシ２１の前面側に移動する押圧部３３に押圧されて、シャーシ２１の前面側、すなわち図２及び図３中反矢印Ｂ方向にスライドされる。
【００２１】
なお、底板２６には、ローディング装置２０が取り付けられる電子機器の筐体に取り付けるための複数の取付孔３７が穿設されている。
【００２２】
以上のようなシャーシ２１にスライド可能に取り付けられるホルダ２２は、図２及び図３に示すように、シャーシ２１よりやや小さい大きさで、金属板を折曲して形成されている。このホルダ２２は、底板４１の前面側両側にＩＣカード１を保持する第１及び第２のカード保持部４２，４３が形成されている。これら第１及び第２のカード保持部４３，４３は、底板４１の両側を垂直に折り曲げて形成され、ＩＣカード１と厚さ分の高さを有する互いに略平行な側壁４４，４５と、これら側壁４４，４５の先端側を底板４１と平行となるように折り曲げて形成された支持片４６，４７とから構成されている。そして、第１及び第２のカード保持部４２，４３と底板４１とで構成されるホルダ２２の前面側には、ＩＣカード１の挿脱を行うための挿脱口４０が形成されている。また、第１のカード保持部４２と第２のカード保持部４３との間は、開放されており、第１及び第２のカード保持部４２，４３にＩＣカード１を保持したとき、ラベル貼付部１４に貼り付けられたラベルを筐体に設けられた窓部を介して見ることができるようになっている。
【００２３】
また、ホルダ２２の背面側には、ＩＣカード１の挿入端に設けられた端子７が接続されるコネクタが取り付けられるコネクタ取付部４８が形成されている。このコネクタ取付部４８は、底板４１の前面側を除く側縁に形成されたコネクタの取付位置を規制する規制壁４９ａ，４９ｂ，４９ｃと底板４１とにより構成されている。そして、規制壁４９ａ，４９ｂ，４９ｃの先端には、コネクタ取付部４８にコネクタを係止するためのコネクタ係止片５１が形成されている。また、コネクタ取付部４８を構成する底板４１には、コネクタを位置決めして取り付けるための位置決め孔５０，５０が穿設されている。
【００２４】
このコネクタ取付部４８に取り付けられるコネクタ５２は、図２及び図３に示すように、ＩＣカード１の端子７との接続を図るための端子板５３と、この端子板５３に取り付けられる断面略コ字状のカバー５４とから構成される。そして、コネクタ５２は、端子板５３にカバー５４が取り付けられることで、内部にＩＣカード１の前面側が収納される収納部が形成され、前面側に端子部３が形成されたＩＣカード１の前面が挿入される挿入口５５が形成されている。
【００２５】
また、カバー５４には、一方の側壁に、ＩＣカード１が挿入された際、ＩＣカード１の脱落防止用凹部１２が係合される脱落防止片を構成する弾性係合片６０が設けられている。弾性係合片６０は、ＩＣカード１の脱落防止用凹部１２に係合されることで、ＩＣカード１をホルダ２２内に保持し、ローディング装置２０に装着されたＩＣカード１が脱落しないようにする。脱落防止片６０は、ＩＣカード１の脱落防止用凹部１２に係合するとき、弾性変位することで、利用者にクリック感を与え、利用者にＩＣカード１がホルダ２２に完全に挿入されたことを認識させる。また、この弾性係合片６０は、ＩＣカード１が正規な状態で挿入されなかったとき、ＩＣカード１がホルダ２２内に挿入されることを阻止する誤挿入防止片としても機能する。なお、コネクタ５２は、カバー５４の背面壁にＩＣカード１の背面に設けた面取り部８及び切欠部９に係合する脱落防止部材を設けてもよい。
【００２６】
コネクタ５２の底面を構成する端子板５３には、ＩＣカード１の端子部３が電気的に接続される第１の接続端子５６と、信号処理回路等の電気回路が組み込まれたプリント配線基板と電気的に接続するためフレキシブルプリント配線基板が接続される第２の接続端子５７とが設けられている。第１の接続端子５６は、ＩＣカード１の端子部３を構成する端子７の数に対応して設けられている。これら第１の接続端子５６は、略Ｌ字状に折曲して形成され、この折曲部が上方に突出し、ＩＣカード１の端子７に押圧されて弾性変位するように設けられている。第１の接続端子５６は、ＩＣカード１が挿入されたとき、ＩＣカード１の端子部３の開放側より進入し、端子７に押圧状態で接触することで、端子７と電気的に接続される。
【００２７】
また、第２の接続端子５７には、信号処理回路等の電気回路が組み込まれたプリント配線基板と電気的に接続するためのフレキシブルプリント配線基板が接続される。すなわち、第１の接続端子５６に端子部３が電気的に接続されたＩＣカード１は、第２の接続端子５７と筐体に配設されるプリント配線基板とを電気的に接続するフレキシブルプリント配線基板を介して、プリント配線基板に設けられた信号処理回路により制御される。また、第２の接続端子５７は、フレキシブルプリント配線基板との接続を容易にするため挿入口５５の近傍に設けられている。そして、フレキシブル配線基板は、ホルダ２２がシャーシ２１の前面側の第１の位置と背面側の第２の位置とに亘って移動し得る長さに形成されている。以上のような第１の接続端子５６と第２の接続端子５７が設けられたコネクタ５２を構成する端子板５３の裏面側には、ホルダ２２の底板４１に構成されたコネクタ取付部４８に位置決めして取り付けるための位置決め突起５８，５８が突設されている。
【００２８】
端子板５３にカバー５４が取り付けられたコネクタ５２は、底板４１のコネクタ取付部４８に穿設された位置決め孔５０，５０に端子板５３の位置決め突起５８，５８を係合させ、コネクタ取付部４８を構成する規制壁４９ａ，４９ｂ，４９ｃの先端部に形成されたコネクタ係止片５１を折曲してコネクタ５２を係止することで、コネクタ取付部４８に取り付けられる。なお、端子板５３に形成された位置決め突起５８，５８は、底板４１の位置決め孔５０，５０を挿通し、ホルダ２２の底板４１より突出し、この突出した部分がシャーシ２１に形成されたガイド孔２９，２９に係合することで、ホルダ２２がシャーシ２１に対して移動する際のガイド突起としても機能する。
【００２９】
なお、ホルダ２２の側壁４４，４５と平行なコネクタ取付部４８を構成する規制板４９，４９には、図２に示すように、外側の面にシャーシ２１の第１及び第２の側壁２７，２８に形成されたガイド孔３０，３０に係合されるガイド突起５９，５９が突設されている。また、ホルダ２２の底板４１には、ホルダ２２の移動方向に沿って、ガイド孔７１が形成されている。このガイド孔７１には、シャーシ２１の底板２６に取り付けられた回動アーム３１の支軸３２が係合される。すなわち、この支軸３２も、ホルダ２２がシャーシ２１に対して移動する際のガイド突起としても機能する。
【００３０】
ホルダ２２の第２のカード保持部４３を構成する側壁４５には、図２、図３及び図４に示すように、シャーシ２１に対するホルダ２２の移動を規制する規制部材６１が回動可能に取り付けられている。規制部材６１は、基端側に、軸孔６２が穿設され、ホルダ２２の側壁４５に植立された支軸６２ａに挿通されることで、図４中矢印Ｄ及び反矢印Ｄ方向に回動可能に支持されている。
【００３１】
規制部材６１は、先端側に、ＩＣカード１がホルダ２２に挿入された際、ＩＣカード１の係合凹部１３に係合される係合突部６３が形成されている。係合突部６３は、ホルダ２２に保持されたＩＣカード１の係合凹部１３に係合できるように、ホルダ２２の底板４１及び側壁４５に亘って形成された開口部６４よりホルダ２２内に臨まされる。また、規制部材６１の係合突部６３の更に先端側には、底板４１及び側壁４５に形成された開口部６４の周縁の裏面側に係止され、規制部材６１の図４中矢印Ｄ方向の回動領域を規制する係止部６５が形成されている。この係止部６５の近傍には、ホルダ２２がシャーシ２１にスライド可能な状態で取り付けられたとき、シャーシ２１の底板２６の開口部３６の近傍に突設された係合突起７０に係合される規制孔６６が形成されている。規制孔６６は、シャーシ２１に形成された係合突起７０に係合することで、ホルダ２２がシャーシ２１の前面側の第１の位置よりシャーシ２１の背面側の第２の位置にスライドすることを禁止する。すなわち、第１の位置にあるホルダ２２にＩＣカード１が挿入されるとき、ホルダ２２は、規制部材６１により第１の位置にロックされていることから、ＩＣカード１の端子部３を第１の接続端子５６に確実に接続させることができる。
【００３２】
以上のような規制部材６１は、付勢部材であるトーションバネ６７によりホルダ２２の内方側である図４中矢印Ｄ方向に付勢されている。トーションバネ６７は、基体部６７ａがホルダ２２の側壁４５に植立された支軸６２に規制部材６１の上側から嵌合され、一方のアーム部６７ｂがホルダ２２の側壁４５に形成された係止片６８に係止され、他方のアーム部６７ｃが規制部材６１に形成された係止片６９に係止されることで、規制部材６１を図４中矢印Ｄ方向に付勢している。そして、規制部材６１は、先端部の係止部６５を開口部６４の近傍の底板４１の裏面側に係止させ、係合突部６３を開口部６４よりホルダ２２内に臨ませた状態で側壁４５に取り付けられている。
【００３３】
以上のように構成されるホルダ２２は、図２及び図３に示すように、コネクタ取付部４８を構成する規制板４９，４９に突設されたガイド突起５９，５９をシャーシ２１のガイド孔３０，３０に係合させ、コネクタ取付部４８に取り付けられた端子板５３の位置決め突起５８，５８をシャーシ２１のガイド孔２９，２９に係合させ、シャーシ２１側の回動アーム３１の支軸３２をホルダ２２の底板４１に形成されたガイド孔７１に係合させて、シャーシ２１の第１及び第２の側壁２７，２８間にスライド可能な状態で取り付けられる。そして、ホルダ２２は、ＩＣカード１の挿脱が行われるシャーシ２１の前面側の第１の位置と、情報信号の書き込み又は読み出しを行うシャーシ２１の背面側の第２の位置とに亘ってスライドされる。ここで、ホルダ２２は、第１の位置にあるとき、ＩＣカード１の挿脱が行われ、第２の位置にあるときに、ＩＣカード１に対して情報信号の書き込み又は読み出しが行われる。
【００３４】
そして、シャーシ２１とホルダ２２とは、図２及び図３に示すように、付勢部材であるトグルバネ７３により接続される。このトグルバネ７３は、線状部材が巻回されてなるコイル部７４と、コイル部７４より一方の側に延びた第１のアーム部７５と、コイル部７４より他方の側に延びた第２のアーム部７６とからなる。そして、第１のアーム部７５の先端部には、シャーシ２１側に係合される第１の係合部７５ａが形成され、第２のアーム部７６の先端部には、ホルダ２２側に係合される第２の係合部７６ａが形成されている。第１の係合部７５ａは、シャーシ２１を構成する底板２６の裏面側に突設された第１の係合突起７７に係合され、第２の係合部７６ａは、ホルダ２２を構成する底板４１の裏面側に突設された第２の係合突起７８に係合される。
【００３５】
以上のようにシャーシ２１とホルダ２２を接続したトグルバネ７３は、ホルダ２２がシャーシ２１の前面側に移動した第１の位置にあるとき、図２及び図３中反矢印Ｂ方向に付勢する第１の状態にある。そして、ホルダ２２がシャーシ２１に対して図２及び図３中矢印Ｂ方向にスライド操作されると、トグルバネ７３は、ホルダ２２を図２及び図３中矢印Ｂ方向に付勢する第２の状態に反転し、ホルダ２２をシャーシ２１の背面側の第２の位置にスライドさせる。また、ホルダ２２が第２の位置にあるとき、シャーシ２１の底板２６に取り付けられた回動アーム３１が図３中矢印Ｃ方向に回動されると、回動アーム３１の一端に形成された押圧部３３は、ホルダ２２の第２の係合突起７８を押圧する。すると、第２の状態にあるトグルバネ７３は、回動アーム３１の押圧部３３がホルダ２２の第２の係合突起７８を押圧する押圧力を受けて、ホルダ２２が図３中反矢印Ｂ方向にスライドされ、図３中反矢印Ｂ方向にホルダ２２を付勢する第１の状態に反転し、ホルダ２２を第１の位置に移動させる。
【００３６】
以上のようにホルダ２２がスライド可能に取り付けられたシャーシ２１には、ホルダ２２の前面側に形成されたＩＣカード１の挿脱口４０とシャーシ２１の前面を開閉する蓋体８１が回動可能に取り付けられている。この蓋体８１は、図２、図３、図５及び図６に示すように、挿脱口４０及びシャーシ２１の前面を閉塞する閉塞板８２と、この閉塞板８２の両側に形成される第１及び第２の回動支持アーム８３，８４とを備える。
【００３７】
閉塞板８２は、ホルダ２２の挿脱口４０及びシャーシ２１の前面を閉塞する第１の閉塞部８５と、シャーシ２１の底板２６の前面に形成された切欠部８０に嵌合する第２の閉塞部８６とからなる。
【００３８】
また、シャーシ２１の第１の側壁２７側に位置する第１の回動支持アーム８３は、図５に示すように、先端側に、蓋体８１を回動支持するための第１の支持孔８７が穿設されている。この第１の支持孔８７は、シャーシ２１の第１の側壁２７の前面側に突設された第１の支軸８８に係合される。また、蓋体８１は、第１の回動支持アーム８３側で、付勢部材であるトーションバネ８９により挿脱口４０を閉塞する図６中矢印Ｅ方向に回動付勢されている。このトーションバネ８９は、基体部８９ａがシャーシ２１の第１の側壁２７に形成された係合片９１に係合され、一方のアーム部８９ｂが第１の移動支持アーム８３の先端部に形成された係止部９２に係止され、他方のアーム部８９ｃが第１の側壁２７に形成された係止部９３に係止されることで、蓋体８１を図６中矢印Ｅ方向に回動付勢している。
【００３９】
また、シャーシ２１の第２の側壁２８側に位置する第２の回動支持アーム８４は、図６に示すように、先端側に第１の支持孔８７とともに蓋体８１を回動支持するための第２の支持孔９４が穿設されている。この第２の支持孔９４は、シャーシ２１の第２の側壁２８の前面側に突設された第２の支軸９５に係合される。また、第２の回動支持アーム８４の先端部には、イジェクト部材により押圧されて蓋体８１を図６中反矢印Ｅ方向に回動するための突部９６が突設されている。突部９６の下側には、閉塞板８２側にイジェクト部材のカム部が接触しやすくするため傾斜面部９７が形成されている。
【００４０】
以上のような蓋体８１は、図５及び図６に示すように、第１及び第２の支持孔８７，９４に第１及び第２の支軸８８，９５が係合されることで、第１及び第２の支軸８８，９５を中心に図５及び図６中矢印Ｅ方向及び反矢印Ｅ方向に回動可能に支持されている。そして、蓋体８１は、トーションバネ８９の付勢力により、シャーシ２１の前面を閉塞する図５及び図６中矢印Ｅ方向に回動付勢されている。そして、第２の回動支持アーム８４に形成された突部９６の傾斜面部９７がイジェクト部材のカム部により押圧されることで、蓋体８１は、図５及び図６中反矢印Ｅ方向に第１及び第２の支軸８８，９５を中心に回動され、シャーシ２１の前面及びホルダ２２の挿脱口４０を開放する。
【００４１】
また、シャーシ２１の第２の側壁２８には、図２及び図３に示すように、シャーシ２１とホルダ２２とを連結するトグルバネ７３によりシャーシ２１の背面側である第２の位置にあるホルダ２２を、シャーシ２１の前面側の第１の位置に移動させるイジェクト部材１０１が長手方向、すなわち図６中矢印Ｂ方向及び反矢印Ｂ方向にスライド可能に取り付けられている。このイジェクト部材１０１は、図６に示すように、シャーシ２１の第２の側壁２８の高さとほぼ同じ幅を有し、長尺の略矩形状に金属板を打ち抜いて形成されている。イジェクト部材１０１には、長手方向に沿って、第１のガイド孔１０２と第２のガイド孔１０３とが形成されている。そして、第１のガイド孔１０２には、シャーシ２１の第２の側壁２８に設けられたガイド突部１０４が係合され、第２のガイド孔１０３には、第２の側壁２８に形成されたガイド片１０５が係合される。そして、イジェクト部材１０１は、第１のガイド孔１０２に第２の側壁２８に形成されたガイド突部１０４に形成されたねじ孔１０６ａに、止めねじ１０６を螺合させることで、第２の側壁２８に取り付けられる。
【００４２】
また、イジェクト部材１０１は、図６に示すように、付勢部材である引っ張りバネ１１３により図６中反矢印Ｂ方向に付勢されている。この引っ張りバネ１１３は、一端がイジェクト部材１０１のシャーシ２１の背面側に対応する端部に形成されたバネ係止片１１１に係止され、他端がシャーシ２１の第２の側壁２８の長手方向の中程に形成されたバネ係止片１１２に係止されることで、イジェクト部材１０１を図６中反矢印Ｂ方向に付勢している。
【００４３】
以上のようにシャーシ２１の第２の側壁２８に取り付けられるイジェクト部材１０１には、図６に示すように、シャーシ２１の前面側に位置する一端側に、シャーシ２１の底板２６と平行となるように折曲して、上述した蓋体８１の第２の回動支持アーム８４に形成された突部９６を押圧するカム部１０７が形成されている。カム部１０７は、シャーシ２１の底板２６に形成された開口部３６よりシャーシ２１内に臨まされている。そして、カム部１０７は、蓋体８１の第２の回動支持アーム８４に設けられた突部９６の下側に形成された傾斜面部９７を押圧しやすくするため、シャーシ２１の背面側となる側に下側に折曲した折曲部１０８が形成されている。
【００４４】
また、イジェクト部材１０１のシャーシ２１の前面側に位置する一端側には、上述した回動アーム３１の他端側に形成された被押圧部３４をシャーシ２１の背面側、すなわち図６中矢印Ｃ方向に押圧する操作片１０９がシャーシ２１の底板２６と平行となるように折曲して形成されている。そして、操作片１０９には、イジェクト部材１０１の先端側に上側に折曲して押圧部１１０が形成されている。操作片１０９に形成された押圧部１１０は、シャーシ２１の底板２６に形成された開口部３６よりシャーシ２１内に臨まされ、回動アーム３１の被押圧部３４に係合し得るようになっている。
【００４５】
更に、イジェクト部材１０１の一端側には、図示しないが装置本体を構成する筐体より外方に臨まされたイジェクト操作部１１５によりスライド操作される操作片１１４が折り曲げ形成されている。イジェクト部材１０１は、操作片１１４が図６中矢印Ｂ方向にスライド操作されることで、同方向にスライドされる。
【００４６】
以上のようなイジェクト部材１０１は、ホルダ２２がシャーシ２１の背面側の第２の位置にある状態において、図６に示すように、図６中矢印Ｂ方向に押圧され、イジェクト部材１０１を図６中反矢印Ｂ方向に付勢する引っ張りバネ１１３の付勢力に抗して図６中矢印Ｂ方向にスライドされると、カム部１０７は、蓋体８１の第２の回動支持アーム８４に設けられた突部９６の下側に形成された傾斜面部９７を押圧し、蓋体８１をトーションバネ８９の付勢力に抗してホルダ２２の挿脱口４０を開放する図６中反矢印Ｅ方向に回動させる。これと同時に、操作片１０９に形成された押圧部１１０は、回動アーム３１の被押圧部３４を図６中矢印Ｃ方向に押圧し、同方向に回動アーム３１を回動させる。回動アーム３１の一端に形成された押圧部３３は、ホルダ２２の第２の係合突起７８を押圧し、ホルダ２２を図３中反矢印Ｂ方向にスライドさせる。回動アーム３１の押圧部３３がホルダ２２の第２の係合突起７８を押圧する押圧力を受けて、ホルダ２２が図３中反矢印Ｂ方向にスライドされると、トグルバネ７３は、ホルダ２２を図３中反矢印Ｂ方向に付勢する第１の状態に反転し、ホルダ２２を第１の位置に付勢し、ホルダ２２を第１の位置に移動させる。
【００４７】
次に、以上のように構成されたローディング装置２０にＩＣカード１が挿入されてから情報信号の記録又は再生が行われるまでの一連の動作について説明する。先ず、非使用時のローディング装置２０について説明すると、図３に示すように、ホルダ２２は、シャーシ２１の前面側に移動した第１の位置にあり、シャーシ２１とホルダ２２を接続するトグルバネ７３は、ホルダ２２をシャーシ２１の前面側の第１の位置に付勢する第１の状態にある。
【００４８】
また、蓋体８１は、蓋体８１側の係止部９２とシャーシ２１側の係止部９３に係止されたトーションバネ８９の付勢力により、シャーシ２１の前面を閉塞する図５及び図６中矢印Ｅ方向に回動付勢され、シャーシ２１の前面及び第１の位置にあるホルダ２２の挿脱口４０を閉塞した状態にあり、ローディング装置２０内に塵埃等が侵入することを防止している。
【００４９】
回動アーム３１は、押圧部３３がシャーシ２１の前面側に位置するように、図３中矢印Ｃ方向に回動されている。また、シャーシ２１の第１の側壁２７に取り付けられた規制部材６１は、図４に示すように、一方のアーム部６７ｂが側壁４５に形成された係止片６８に係止され、他方のアーム部６７ｃが回動アーム３１に形成された係止片６９に係止されたトーションバネ６７により図４中矢印Ｄ方向に回動付勢され、先端部の係止部６５がホルダ２２の底板４１に形成された開口部６４の近傍の裏面に係止された状態にあり、先端側に設けられた係合突部６３がホルダ２２内に臨み、規制孔６６がシャーシ２１の底板に立設された係合突起７０と係合していない状態にある。すなわち、ホルダ２２は、規制部材６１の規制孔６６とシャーシ２１の係合突起７０と係合していない状態にあることで、シャーシ２１に対し、背面側となる図３中矢印Ｂ方向に移動可能な状態にある。
【００５０】
また、イジェクト部材１０１は、イジェクト部材１０１側のバネ係止片１１１とシャーシ２１側のバネ係止片１１２とに係止された引っ張りバネ１１３により、シャーシ２１の前面側となる図３及び図６中反矢印Ｂ方向にスライドされた状態にある。
【００５１】
以上のような非使用時のローディング装置２０には、図７に示すように、ＩＣカード１が端子部３が設けられた前面側を挿入端とし、主面２ａをシャーシ２１の底板２６と対向する下側にして挿入される。ＩＣカード１をローディング装置２０の前面側より挿入するとき、蓋体８１は、手指又はＩＣカード１の前面部を引っかける等して、蓋体８１をシャーシ２１の前面を閉塞する図５及び図６中矢印Ｅ方向に付勢するトーションバネ８９の付勢力に抗して、シャーシ２１の前面側、すなわちシャーシ２１の前面側の第１の位置にあるホルダ２２の挿脱口４０を開放する同図中反矢印Ｅ方向に回動される。
【００５２】
そして、シャーシ２１の前面を蓋体８１が開放すると同時に、図７に示すように、ホルダ２２の挿脱口４０からは、ＩＣカード１が端子部３を挿入端として挿入される。そして、図１及び図７に示すように、ＩＣカード１の前面側の先端と主面２ａ側に形成された係合凹部１３との間の領域がホルダ２２内に臨まされた規制部材６１上を図７中矢印Ｂ方向に移動しているとき、規制部材６１は、ホルダ２２内に臨まされた規制部材６１の係合突部６３がＩＣカード１先端と主面２ａ側に形成された係合凹部１３との間の領域により押圧されることで、トーションバネ６７の付勢力に抗して、支軸６２ａを回動支点として、図７中反矢印Ｄ方向に回動される。これにより、規制部材６１の規制孔６６は、図４及び図７に示すように、シャーシ２１側の係合突起７０と係合した状態となり、シャーシ２１の前面側の第１の位置にあるホルダ２２は、ＩＣカード１の挿入に伴ってシャーシ２１の背面側の図７中矢印Ｂ方向にスライドすることを禁止された状態となる。ＩＣカード１の端子部３がホルダ２２に設けられたコネクタ５２の第１の接続端子５６に接続されるまで、ホルダ２２は、規制部材６１により第１の位置にロックされていることで、確実に端子部３を構成する端子７がコネクタ５２の第１の接続端子５６に接続されるようにしている。
【００５３】
そして、更にＩＣカード１がローディング装置２０内に挿入されると、図８及び図９に示す状態となる。すなわち、ホルダ２２がシャーシ２１の前面側の第１の位置にあるとき、ＩＣカード１が第１の位置にあるホルダ２２に完全に挿入されると、ＩＣカード１は、ホルダ２２の背面側に配設されたコネクタ５２の挿入口５５より挿入される。そして、コネクタ５２の第１の接続端子５６は、ＩＣカード１の端子部３の開放端より係合凹部６に係合し、端子７を押圧した状態で端子７と電気的な接続が図られる。
【００５４】
ＩＣカード１の係合凹部６に第１の接続端子５６が係合し、端子７と第１の接続端子５６とが接続されたとき、ＩＣカード１の係合凹部１３は、ホルダ２２内の規制部材６１の係合突部６３の上方に位置する。すると、これまでＩＣカード１の先端から係合凹部１３に亘る領域に係合突部６３が押圧され、図９中反矢印Ｄ方向に回動されていた規制部材６１は、ＩＣカード１の係合凹部１３と規制部材６１の係合突部６３が係合可能な状態となることで、トーションバネ６７の付勢力により図９中矢印Ｄ方向に回動され、係合突部６３をＩＣカード１の係合凹部１３に係合させる。これにより、これまでシャーシ２１の係合突起７０に係合されていた規制部材６１の規制孔６６と係合突起７０との係合状態は解除され、ホルダ２２は、シャーシ２１の背面側である第２の位置の方向である図８及び図９中矢印Ｂ方向にスライド可能な状態になる。また、ＩＣカード１がホルダ２２に完全に挿入されたとき、図２に示すように、コネクタ５２に設けられた弾性係合片６０は、ＩＣカード１の脱落防止用凹部１２に係合し、ＩＣカード１がホルダから抜け落ちることを防止している。また、弾性係合片６０は、ＩＣカード１の脱落防止用凹部１２に係合したとき、弾性変位することで利用者にクリック感を与え、ＩＣカード１がホルダ２２内に、端子部３と第１の接続端子５６とが確実に係合していることを認識させる。
【００５５】
ここで、ＩＣカード１が上述のような正規な状態でローディング装置２０に挿入されなかった場合、すなわちＩＣカード１が背面側から挿入された場合やＩＣカード１の主面２ａを上側にして挿脱口４０より挿入された場合には、第１の位置にあるホルダ２２に挿入された場合であっても、ＩＣカード１の係合凹部１３に規制部材６１の係合突部６３が係合することはない。すなわち、図８及び図９に示す位置までＩＣカード１が挿入されても、ホルダ２２内の規制部材６１の係合突部６３の上方には、ＩＣカード１の係合凹部１３が無いことから、規制部材６１は、係合突部６３がＩＣカード１の主面に押圧されたままの状態で、規制孔６６がシャーシ２１側のシャーシ２１の係合突起７０と係合した状態が続くことになる。したがって、第１の位置にあるホルダ２２は、ＩＣカード１の挿入に伴ってシャーシ２１の背面側の図７中矢印Ｂ方向にスライドすることが禁止される。これにより、ローディング装置２０は、ＩＣカード１が誤挿入された場合に、第１の位置にあるホルダ２２がシャーシ２１の背面側の第２の位置の方向である図８及び図９中Ｂ方向にスライドすることが禁止され、ＩＣカード１の誤挿入が防止される。また、ＩＣカード１が正規な状態で挿入されなかったとき、弾性係合片６０は、ＩＣカード１の脱落防止用凹部１２に係合しないことから、ＩＣカード１が第１の位置にあるホルダ２２に、端子部３の係合凹部６に第１の接続端子５６が係合し端子７と電気的に接続するまで挿入されることを阻止し、ＩＣカード１の誤挿入を防止する。
【００５６】
そして、図８及び図９に示すように、ＩＣカード１がシャーシ２１の前面側の第１の位置にあるホルダ２２に完全に挿入された後、更にＩＣカード１が図８及び図９中矢印Ａ方向に押圧されると、図１０に示すように、ＩＣカード１は、ローディング装置２０内に完全に収納され、ローディング装置２０に装着され、半導体メモリに対して情報信号の記録又は再生が可能な状態となる。すなわち、図１０に示すように、ＩＣカード１が図８及び図９に示す状態から更に押圧されると、規制部材６１の規制孔６６とシャーシ２１の係合突起７０との係合状態が解除され、シャーシ２１の背面側である第２の位置の方向である図８及び図９中矢印Ｂ方向にスライド可能な状態にあるホルダ２２は、シャーシ２１の背面側である図８及び図９中矢印Ｂ方向にスライドされる。
【００５７】
すると、ＩＣカード１によりホルダ２２を図１０中矢印Ｂ方向に押圧する押圧力を受けて、トグルバネ７３は、図１０中矢印Ｂ方向にホルダ２２を付勢する第１の状態から反転し、同図中反矢印Ｂ方向にホルダ２２を付勢する第２の状態となり、図１０中矢印Ｂ方向に付勢することで、ホルダ２２をシャーシ２１の背面側の第２の位置にスライドさせる。これにより、コネクタ５２に接続されたＩＣカード１は、ローディング装置２０内に完全に収納され、ＩＣカード１の背面側でシャーシ２１の前面側を閉塞することを阻止されていた蓋体８１は、トーションバネ８９の付勢力を受けて図９中矢印Ｅ方向に回動され、シャーシ２１の前面を閉塞し、ローディング装置２０内に塵埃等が侵入することを防止する。また、シャーシ２１の底板２６に回動可能に取り付けられた回動アーム３１は、ホルダ２２が図１０中矢印Ｂ方向にスライドすることで、一端側の押圧部３３がトグルバネ７３の第２のアーム部７６の係合部７６ａが係合された第２の係合突起７８により押圧され、図１０中反矢印Ｃ方向に回動される。
【００５８】
以上のようにＩＣカード１の端子７とコネクタ５２の第１の接続端子５６とが接続された状態で、シャーシ２１の背面側の第２の位置に装着されたＩＣカード１は、コネクタ５２の第２の接続端子５７に接続されたフレキシブル配線基板を介して制御される。具体的に、ＩＣカード１は、この第２の位置に装着された状態において、電子機器からの制御信号により、カード本体２に内蔵された半導体メモリに情報信号が記録され、また、半導体メモリに記憶された情報信号を読み出される。
【００５９】
以上のようにＩＣカード１が装着されたローディング装置２０は、次のようにＩＣカード１をローディング装置２０から排出する。すなわち、図１１及び図１２に示すように、装置本体の筐体より外方に臨まされたイジェクト操作部１１５を介して操作片１１４が図１１及び図１２中矢印Ｂ方向に押圧されると、イジェクト部材１０１は、引っ張りバネ１１３の付勢力に抗して図１１及び図１２中矢印Ｂ方向にスライドされる。
【００６０】
すると、イジェクト部材１０１のカム部１０７は、蓋体８１の第２の回動支持アーム８４に設けられた突部９６を図１１及び図１２中矢印Ｂ方向に押圧する。このとき、図６に示すように、カム部１０７には、折曲部１０８が形成され、突部９６には、下側の折曲部１０８と対向する位置に傾斜面部９７が形成されていることから、カム部１０７は、突部９６を確実に押圧することができる。そして、カム部１０７が蓋体８１の突部９６を押圧することで、トーションバネ８９の付勢力によりシャーシ２１の前面を閉塞している蓋体８１は、カム部１０７が蓋体８１の突部９６を押圧する押圧力を受けて、トーションバネ８９の付勢力に抗して図１２中反矢印Ｅ方向に回動され、シャーシ２１の前面を開放し、ＩＣカード１を排出可能な状態にする。
【００６１】
これと同時に、イジェクト部材１０１の操作片１０９に形成された押圧部１１０は、図１１中反矢印Ｃ方向に回動され、被押圧部３４がシャーシ２１の前面側に位置している回動アーム３１の被押圧部３４に当接される。そして、イジェクト操作部１１５が更に操作され、更に、イジェクト部材１０１が更に図１１及び図１２中矢印Ｂ方向にスライドされると、押圧部１１０は、回動アーム３１の被押圧部３４を押圧し、回動アーム３１を図１１中矢印Ｃ方向に回動させる。すると、イジェクト部材１０１の押圧部１１０が回動アーム３１の被押圧部３４を押圧する押圧力を受けて、回動アーム３１の押圧部３３は、トグルバネ７３の第２のアーム部７６の係合部７６ａが係合された第２の係合突起７８を押圧する。すると、シャーシ２１とホルダ２２を接続した第２の状態にあるトグルバネ７３は、反転し、ホルダ２２を図１１中矢印Ｂ方向に付勢する第１の状態に戻り、ホルダ２２を図１１及び図１２中反矢印Ｂ方向にスライドさせる。これにより、シャーシ２１の背面側にあったホルダ２２は、シャーシ２１の前面側の第１の位置にスライドし、保持しているＩＣカード１の背面側をシャーシ２１の前面よりローディング装置２０外に臨ませる。
【００６２】
そして、シャーシ２１の前面より背面側が外方に臨まされたＩＣカード１は、利用者によりシャーシ２１の前面側の第１の位置にあるホルダ２２より引き抜かれ、ＩＣカード１の端子部３とコネクタ５２の第１の接続端子５６との接続が解除される。この後、蓋体８１は、トーションバネ８９の付勢力により、シャーシ２１の前面を閉塞する図１１及び図１２中矢印Ｅ方向に回動され、シャーシ２１の前面及び第１の位置にあるホルダ２２の挿脱口４０を閉塞し、ローディング装置２０内に塵埃等が侵入しないようにする。
【００６３】
以上のように構成されたＩＣカード１のローディング装置２０は、ＩＣカード１を排出するとき、利用者が装置本体の筐体に設けられたイジェクト操作部を操作する押圧力を受けて、シャーシ２１の背面側の第２の位置にあるホルダ２２をシャーシ２１の前面側の第１の位置に移動させるのみで、ホルダ２２に取り付けられたコネクタ５２の第１の接続端子５６とＩＣカード１の端子部３を構成する端子７との係合状態を解除させるものではない。すなわち、このローディング装置２０では、最終的なＩＣカード１の取り出しは利用者により行われる。したがって、ローディング装置２０は、従来イジェクトボタンを押すことでコネクタ５２の第１の接続端子５６とＩＣカード１の端子部３の端子７との係合状態を解除させるローディング装置よりイジェクト操作部を操作する操作力が小さくなり、容易にＩＣカード１のイジェクト操作を行うことができる。また、ＩＣカード１が誤挿入されたときには、規制孔６６がシャーシ２１側のシャーシ２１の係合突起７０と係合した状態が維持されることになることから、ローディング装置２０への誤挿入を防止することができる。
【００６４】
以上、ＩＣカード１のローディング装置２０への誤挿入を防止する手段として、規制部材６１を用いた例について説明したが、ＩＣカード１の誤挿入を防止する手段は、次のように構成してもよい。なお、以下説明するローディング装置１２０は、規制部材の部分を除いて、上述したローディング装置２０とほぼ同様な構成を有するため、ローディング装置２０と同一部材については同一の符号を付してその詳細は省略する。
【００６５】
すなわち、このローディング装置１２０は、図１３に示すように、ホルダ２２を構成する側壁４５側に、ホルダ２２がシャーシ２１の前面側の第１の位置からシャーシ２１の背面側に移動することを防止する規制部材１２１が取り付けられる。この規制部材１２１は、ホルダ２２の側壁４４に沿って配設できるように長尺状に形成されている。この規制部材１２１は、中程に、支持孔１２２が穿設され、この支持孔１２２にホルダ２２の側壁４５と並んで形成されたコネクタ取付部４８を構成する規制壁４９ｂに突設された支軸１２３が挿通されることで、図１３中矢印Ｆ方向及び反矢印Ｆ方向に回動可能に取り付けられている。なお、ローディング装置１２０の場合、ホルダ２２には、背面に形成されるコネクタ取付部４８を構成する規制壁４９ｃは形成されず、開放されている。
【００６６】
この規制部材１２１が規制壁４９ｂに取り付けられたとき、ホルダ２２の背面側に位置する後端部には、ホルダ２２の内方に向かって略直角に折曲した折曲片１２４が形成され、この折曲片１２４には、ＩＣカード１がホルダ２２内に挿入されたとき、ＩＣカード１の挿入端側に形成された傾斜面部３ａが突き当てられ押圧される被押圧部１２５が形成されている。この被押圧部１２５は、ホルダ２２の背面側よりホルダ２２内に臨まされ、ホルダ２２内に正規な状態でＩＣカード１が挿入されたとき、ＩＣカード１の傾斜面部３ａと対向するように折曲片１２４の上端より下方に向かって鋭角に折曲して形成されている。
【００６７】
また、規制部材１２１には、下端側の中程に、ホルダ２２の第１の位置から第２の位置への移動を規制する規制部１２６が形成され突出して形成されている。この規制部１２６は、ホルダ２２をシャーシ２１の前面側の第１の位置にロックするとき、シャーシ２１の底板２６と第２の側壁２８とに亘って形成された係合孔１２７に係合される。また、シャーシ２１の底板２６と第２の側壁２８に亘る位置には、係合孔１２７よりシャーシ２１の背面側に、規制部１２６の逃げとなるスリット１２８が形成されている。規制部１２６は、第１の位置にあるホルダ２２にＩＣカード１が挿入されるまでシャーシ２１の背面側の第２の位置に移動しないようにするため、後端側に垂直面部１２９が形成され、係合孔１２７の後端に確実に係合するようにされている。また、規制部１２６は、ホルダ２２がＩＣカード１をイジェクトするため、シャーシ２１の背面側の第２の位置から前面側の第１の位置に移動する際、スリット１２８の前端を円滑に乗り上げることができるように、傾斜面部１３０が形成されている。
【００６８】
支持孔１２２にホルダ２２の規制壁４９ｂに形成された支軸１２３が挿通され規制壁４９ｂに図１３中矢印Ｆ方向及び反矢印Ｆ方向に回動可能に取り付けられた規制部材１２１は、付勢部材であるトーションバネ１３１により、同図中矢印Ｆ方向に回動付勢されている。このトーションバネ１３１は、基体部１３１ａが規制部材１２１の被押圧部１２５が形成された後端部と対向する前端部に設けられた取付片１３２に取り付けられ、一方のアーム部１３１ｂがホルダ２２を構成する側壁４５に形成された係止片１３３に係止され、他方のアーム部１３１ｃが規制部材１２１の下端に形成された係止片１３４に係止されることで、規制部材１２１を図１３中矢印Ｆ方向に付勢し、規制部１２６が係合孔１２７に係合するようにしている。
【００６９】
図１３中矢印Ｆ方向に付勢されている規制部材１２１は、同図中Ｆ方向に回動し過ぎることを防止する回動規制突起１３５が突設されている。回動規制突起１３５は、シャーシ２１の第２の側壁２８の上端のカム部１３６に係合される。カム部１３６は、ホルダ２２がシャーシ２１の前面側の第１の位置にあるとき、回動制御突起１３５が係合される第１の水平面部１３６ａと、ホルダ２２がシャーシ２１の背面側の第２の位置にあるとき、回動制御突起１３５が係合される第２の水平面部１３６ｂと、第１の水平面部１３６ａと第２の水平面部１３６ｂとを連結する傾斜面部１３６ｃとから構成され、第１の水平面部１３６ａは、第２の水平面部１３６ｂより１段低く形成されている。回動規制突起１３５は、ホルダ２２が第１の位置から第２の位置に移動するとき、第１の水平面部１３６ａ、傾斜面部１３６ｃ、第２の水平面部１３６ｃ上を、この順番に従って移動する。
【００７０】
なお、規制部材１２１の支持孔１２２に挿通されたホルダ２２の支軸１２３は、シャーシ２１の第２の側壁２８に、ホルダ２２の移動方向に沿って形成されたガイド孔１３７に係合される。
【００７１】
次に、以上のように構成されたＩＣカード１のローディング装置１２０のＩＣカード１が挿入されてからＩＣカード１の半導体メモリに対して情報信号の記録又は再生を行うまでの一連の動作について説明する。先ず、非使用時のローディング装置１２０について説明すると、ホルダ２２は、図１４に示すように、シャーシ２１の前面側に移動した第１の位置にある。このとき、規制部材１２１は、トーションバネ１３１の付勢力により、支軸１２３を中心にして、図１４中矢印Ｆ方向に回動され、規制部１２６をシャーシ２１の係合孔１２７に係合させた状態にある。したがって、規制部材１２１が取り付けられているホルダ２２は、シャーシ２１の前面側の第１の位置にロックされた状態にある。なお、このとき、規制部材１２１の回動規制突起１３５は、カム部１３６を構成する第１の水平面部１３６ａに係合されている。
【００７２】
以上のようなローディング装置２０には、図１５に示すように、ＩＣカードが、端子部３側を挿入端として第１の位置に規制部材１２１によりロックされているホルダ２２に挿入される。ＩＣカード１をローディング装置１２０の前面側より挿入するとき、蓋体８１は、手指又はＩＣカード１の前面部を引っかける等して、蓋体８１をシャーシ２１の前面を開放する図１５中反矢印Ｅ方向に回動され、ホルダ２２の挿脱口４０が開放される。
【００７３】
そして、シャーシ２１の前面を蓋体８１が開放すると同時に、図１５に示すように、ホルダ２２の挿脱口４０からは、ＩＣカード１が端子部３を挿入端として挿入される。そして、コネクタ５２の第１の接続端子５６は、ＩＣカード１の端子部３の開放端より係合凹部６に係合し、端子７を押圧した状態で端子７と電気的な接続が図られる。このときまで、規制部材１２１の規制部１２６は、シャーシ２１の係合孔１２７に係合され、ホルダ２２が第１の位置にロックされていることから、第１の接続端子５１は、ＩＣカード１の係合凹部６に係合し、端子部７と確実に電気的な接続が図られる。そして、ＩＣカード１が第１の位置にあるホルダ２２に完全に挿入されると、規制部材１２１の被押圧部１２５は、ＩＣカード１の傾斜面部３ａに押圧される。すると、規制部材１２１は、支軸１２３を中心に、トーションバネ１３１の付勢力に抗して、図１５中反矢印Ｆ方向に回動され、規制部１２６と係合孔１２７との係合状態が解除され、ホルダ２２がシャーシ２１の前面側の第１の位置から背面側の第２の位置へ移動可能な状態となる。
【００７４】
ここで、ＩＣカード１が上述のような正規な状態でローディング装置２０に挿入されなかった場合には、第１の接続端子５６がＩＣカード１の端子部３を構成する係合凹部６に係合されず、従って、規制部材１２１の被押圧部１２５は、ＩＣカード１の傾斜面部３ａに押圧されない。したがって、規制部材１２１は、図１４中反矢印Ｆ方向に回動されず、規制部１２６とシャーシ２１の係合孔１２７との係合状態が維持され、ホルダ２２は、第１の位置にロックされたままとなる。これにより、ローディング装置１２０は、ＩＣカード１が誤挿入された場合に、第１の位置にあるホルダ２２がシャーシ２１の背面側の第２の位置の方向である図１４中Ｂ方向にスライドすることが禁止され、ＩＣカード１の誤挿入が防止される。
【００７５】
そして、図１５に示すように、ＩＣカード１がシャーシ２１の前面側の第１の位置にあるホルダ２２に完全に挿入された後、更にＩＣカード１が図１５中矢印Ｂ方向に押圧されると、図１６に示すように、ＩＣカード１は、ローディング装置２０内に完全に収納され、ローディング装置２０に装着され、半導体メモリに対して情報信号の記録又は再生が可能な状態となる。すなわち、図１６に示すように、シャーシ２１の前面側の第１の位置にあるホルダ２２は、規制部材１２１がトーションバネ１３１の付勢力に抗して図１６中反矢印Ｆ方向に回動し、規制部１２６と係合孔１２７との係合状態が解除された状態で、シャーシ２１の背面側の第２の位置に移動される。このとき、規制突起１２１の回動規制突起１３５は、カム部１３６を構成する第１の水平面部１３６ａから傾斜面部１３６ｃを介して第１の水平面部１３６ａより１段高い第２の水平面部１３６ｂに移動する。規制部材１２１は、第１の水平面部１３６ａより１段高い第２の水平面部１３６ｂに移動することで、トーションバネ１３１の付勢力により図１６中矢印Ｆ方向に回動することが防止されている。そして、蓋体８１は、図１６中矢印Ｅ方向に回動され、ホルダ２２の挿脱口４０及びシャーシ２１の前面を閉塞し、ローディング装置１２０内に塵埃等が侵入することを防止する。
【００７６】
また、以上のようにＩＣカード１が装着されたローディング装置２０は、次のようにＩＣカード１をローディング装置２０から排出する。すなわち、装置本体の筐体より外方に臨まされたイジェクト操作部１１５が操作されると、シャーシ２１の背面側の第２の位置にあるホルダ２２は、シャーシ２１の前面側の第１の位置に移動する。すると、図１６に示すように、トーションバネ１３１の付勢力に抗して図１６中反矢印Ｆ方向に回動している規制部材１２１は、回動規制突起１３５がカム部１３６を構成する第２の水平面部１３６ｂから１段低い第１の水平面部１３６ｂに移動することで、図１５に示すように、図１５中矢印Ｆ方向に回動可能な状態となる。なお、ここで、ホルダ２２には、ＩＣカード１が挿入されていることから、規制部材１２１は、被押圧部１２５がＩＣカード１の傾斜面部３ａに押圧された状態にあり、図１５中反矢印Ｆ方向に回動された状態のままである。そして、ＩＣカード１の背面側は、蓋体８１が開放しているホルダ２２の挿脱口４０より外方に臨まされる。
【００７７】
そして、ＩＣカード１が利用者により第１の位置にあるホルダ２２より引き抜かれることにより、ＩＣカード１の端子部３とコネクタ５２の第１の接続端子５６との接続が解除される。これと共に、規制部材１２１の被押圧部１２５は、ＩＣカード１の傾斜面部３ａにより押圧された状態が解除され、図１４に示すように、トーションバネ１３１の付勢力により、図１４中矢印Ｆ方向に回動される。これにより、規制部材１２１の規制部１２６は、シャーシ２１の係合孔１２７に係合され、ホルダ２２は、シャーシ２１の前面側の第１の位置にロックされる。そして、ＩＣカード１が完全にローディング装置１２０より引き抜かれた後、蓋体８１は、図１４中矢印Ｅ方向に回動され、第１の位置にあるホルダ２２の挿脱口４０を閉塞し、ローディング装置１２０内に塵埃等が侵入しないようにする。
【００７８】
以上のようなローディング装置１２０は、上述したローディング装置２０と同様に、コネクタ５２をホルダ２２に取り付け、ＩＣカード１の挿脱操作を利用者に任せることで、ＩＣカード１をローディング装置１２０より排出する際の操作力を小さくすることができ、使い勝手を良くすることができる。また、このローディング装置１２０は、ＩＣカード１が正規な状態で第１の位置にあるホルダ２２に挿入されたときに限って、規制部材１２１の被押圧部１２５が押圧され、規制部１２６とシャーシ２１の係合孔１２７との係合状態が解除され、情報信号の記憶又は再生を行うシャーシ２１の背面側の第２の位置に移動可能となる。すなわち、ＩＣカード１が正規な状態でホルダ２２に挿入されないときは、規制部材１２１の被押圧部１２５が押圧されず、規制部１２６と係合孔１２７との係合状態が解除されないことから、ホルダ２２が第１の位置から第２の位置に移動することが無い。したがって、このローディング装置１２０は、ＩＣカード１の誤挿入を防止することができる。
【００７９】
【発明の効果】
本発明に係る記憶媒体のローディング装置によれば、ホルダにコネクタが取り付けられ、コネクタがホルダと一体的に移動するように形成されていることから、第１の位置にあるホルダへの記憶媒体の挿入及びホルダからの記憶媒体の取り出しは、利用者により行われる。したがって、このローディング装置は、第１の位置にあるホルダを第２の位置に移動させ記憶媒体を装着するときや、第２の位置にある記憶媒体を取出可能な第１の位置へ移動するときの押圧力を小さくすることができ、記憶媒体の挿脱時の使い勝手を良くすることができる。
【００８０】
また、このローディング装置は、規制部材は、記憶媒体が端子部がホルダのコネクタに接続可能な正規な状態で第１の位置にあるホルダの記憶媒体保持部に挿入されたとき、規制部とシャーシの係合部との係合状態が解除されることで、ホルダを上記第２の位置に移動可能な状態にする。すなわち、記憶媒体が正規の状態以外の状態で挿入された場合、規制部と係合部との係合状態は解除されることがないことから、ホルダは第１の位置より第２の位置に移動することが禁止される。これにより、このローディング装置は、記憶媒体の誤挿入を防止することができる。
【図面の簡単な説明】
【図１】本発明が適用されたローディング装置に用いられるＩＣカードの斜視図である。
【図２】本発明が適用されたローディング装置の分解斜視図である。
【図３】ローディング装置の平面図である。
【図４】ローディング装置を構成するホルダに取り付けられた規制部材の取付状態を示す要部斜視図である。
【図５】シャーシに取り付けられる蓋体の取付状態を示す要部斜視図である。
【図６】シャーシに取り付けられるイジェクト部材の取付状態を示す要部斜視図である。
【図７】ローディング装置にＩＣカードが挿入されたときの状態を示すローディング装置の側面図である。
【図８】シャーシ前面側の第１の位置にあるホルダにＩＣカードが完全に差し込まれた状態を示すローディング装置の平面図である。
【図９】シャーシ前面側の第１の位置にあるホルダにＩＣカードが完全に差し込まれた状態を示すローディング装置の側面図である。
【図１０】ＩＣカードがローディング装置に装着された状態を示すローディング装置の平面図である。
【図１１】ローディング装置に装着されたＩＣカードを排出するときの初期状態を示すローディング装置の平面図である。
【図１２】ローディング装置に装着されたＩＣカードを排出するときの初期状態を示すローディング装置の側面図である。
【図１３】本発明が適用されたＩＣカードのローディング装置の他の例を示す分解斜視図である。
【図１４】上記ローディング装置の非使用時の状態を示す側面図である。
【図１５】シャーシ前面側の第１の位置にあるホルダにＩＣカードが完全に差し込まれた状態を示すローディング装置の側面図である。
【図１６】ＩＣカードがローディング装置に装着された状態を示すローディング装置の側面図である。
【符号の説明】
１  ＩＣカード、３  端子部、７  端子、１３  係合凹部、２０  ローディング装置、２１  シャーシ、２２  ホルダ、２６  底板、２７  第１の側壁、２８  第２の側壁、３１  回動アーム、３３  押圧部、３４  被押圧部、４０  挿脱口、４２  第１のカード保持部、４３  第２のカード保持部、５２  コネクタ、５６  第１の接続端子、５７  第２の接続端子、５８  位置決め突起、６１  規制部材、６３  係合突部、６５  係止部、６６  規制孔、７０  係合突起、７３  トグルバネ、７７  第１の係合突起、７８  第２の係合突起、８１  蓋体、９６突部、１０１  イジェクト部材、１０７  カム部、１０９  操作片、１１０  押圧部、１１４  操作片
【図１】
0004240706.tif 000002
【図２】
0004240706.tif 000003
【図３】
0004240706.tif 000004
【図４】
0004240706.tif 000005
【図５】
0004240706.tif 000006
【図６】
0004240706.tif 000007
【図７】
0004240706.tif 000008
【図８】
0004240706.tif 000009
【図９】
0004240706.tif 000010
【図１０】
0004240706.tif 000011
【図１１】
0004240706.tif 000012
【図１２】
0004240706.tif 000013
【図１３】
0004240706.tif 000014
【図１４】
0004240706.tif 000015
【図１５】
0004240706.tif 000016
【図１６】
0004240706.tif 000017